(57)【要約】【課題】端末装置が利用できる通信手段に応じて、適切な通信部の制御を行うことが可能な通信システムを提供すること。【解決手段】通信事業者が通信サービスを提供するネットワークと、無線ＬＡＮ（Local Area Network）を構築する中継装置と、前記ネットワーク及び／又は前記無線ＬＡＮで通信可能な端末装置とを含み、端末装置は、前記中継装置に前記無線ＬＡＮにて通信可能な場合、前記ネットワークに接続するための加入者識別情報を、前記中継装置に送信するとともに、前記ネットワークと通信する通信モジュールの機能を停止し、中継装置は、前記加入者識別情報を参照して前記ネットワークに接続し、前記ネットワークからの着信通知を、前記無線ＬＡＮを経由して当該端末装置に転送する。【選択図】図１
2020014083.tif 000002
【特許請求の範囲】
【請求項１】
端末装置及び中継装置を含む通信システムにおいて、
前記端末装置は、
第１制御部と、
加入者識別情報を記憶可能な第１記憶部と、
第１記憶部が記憶する前記加入者識別情報に基づいて基地局装置と通信を行う第１通信部と、
前記中継装置と通信を行う第２通信部と、
を備え、
前記中継装置は、
第２制御部と、
前記加入者識別情報を記憶可能な第２記憶部と、
前記加入者識別情報に基づいて基地局装置と通信を行う第３通信部と、
前記端末装置と通信を行う第４通信部と、
を備えており、
前記端末装置の前記第１制御部は、
前記第２通信部を介して前記中継装置との通信が可能であると判断した場合に、前記第２通信部を介して前記中継装置に前記加入者識別情報を送信し、
前記第１通信部の機能を停止し、
前記中継装置の前記第２制御部は、
前記第４通信部を介して前記端末装置から前記加入者識別情報を受信した場合には、当該第３通信部を介して前記基地局装置に対し前記加入者識別情報に基づく接続要求を行う、
ことを特徴とする通信システム。
【請求項２】
前記端末装置の第１制御部は、
前記中継装置との通信が可能であると判断した場合に、前記中継装置に移動通知を送信し、
前記中継装置から移動許可通知を受信したときに、前記中継装置に前記加入者識別情報を送信する、
ことを特徴とする請求項１に記載の通信システム。
【請求項３】
前記中継装置の第２制御部は、前記端末装置から移動通知を受信したとき、前記第２記憶部に前記加入者識別情報が記憶可能な場合、当該端末装置に移動許可通知を送信する、
ことを特徴とする請求項２に記載の通信システム。
【請求項４】
前記中継装置の第２制御部は、
前記基地局装置から前記端末装置宛の着信通知を、前記第３通信部を介して受信した場合、前記端末装置に前記第４通信部を介して当該着信通知を送信する、
ことを特徴とする請求項１から３の何れか一項に記載の通信システム。
【請求項５】
前記端末装置は、表示部を更に有し
前記端末装置の第１制御部は、前記基地局装置から当該端末装置宛の着信通知があった場合に、前記表示部に着信通知があった旨を表示する、
ことを特徴とする請求項４に記載の通信システム。
【請求項６】
前記端末装置の第１制御部は、前記基地局装置から当該端末装置宛の着信通知があった場合に、当該着信通知が、前記第１通信部を介して受信されたか又は前記第２通信部を介して受信されたかを示す旨を前記表示部に表示する、
ことを特徴とする請求項５に記載の通信システム。
【請求項７】
通信事業者が通信サービスを提供するネットワークと、無線ＬＡＮ（Local Area Network）を構築する中継装置と、前記ネットワーク及び／又は前記無線ＬＡＮで通信可能な端末装置とを含む通信システムのアクセス方法であって、
前記端末装置は、
前記中継装置に前記無線ＬＡＮにて通信可能な場合、前記ネットワークに接続するための加入者識別情報を、前記中継装置に送信するとともに、前記ネットワークと通信する通信モジュールの機能を停止し、
前記中継装置は、前記加入者識別情報を参照して前記ネットワークに接続し、前記ネットワークからの着信通知を、前記無線ＬＡＮを経由して当該端末装置に転送する、
ことを特徴とするアクセス方法。
【発明の詳細な説明】
【技術分野】
【０００１】
本発明は、端末装置及び中継装置を含む通信システムに関する。
【背景技術】
【０００２】
ＬＴＥや５Ｇといった移動体通信サービスに接続可能な端末装置が知られている。端末装置は、接続している移動体通信サービスから、着信を受けるために、ページングの待ち受けを行う必要がある。これらの仕組みについては、例えば3GPP TS(Technical Specification) 36.300等に開示されている。
【０００３】
ページングに関する技術については、種々の発明が開示されている。例えば、モバイルワイヤレスデバイスと第１のワイヤレスネットワークとの間の無線リソースを管理する方法として、特許文献１が開示されている。
【先行技術文献】
【特許文献】
【０００４】
【特許文献１】特表２０１４−５１４８７３号公報
【発明の概要】
【発明が解決しようとする課題】
【０００５】
端末装置は、移動体通信サービスから着信を待ち受けるために、移動体通信が可能な通信部（通信モジュール）を動作させておく必要があった。端末装置は、ＷＬＡＮ等の他の無線通信が利用できるにも関わらず、移動体通信サービスから着信を待ち受けるためには、移動体通信が可能な通信部を動作させる必要があり、その分電力を消費してしまうという課題があった。
【０００６】
上述した課題に鑑み、本発明は、端末装置が利用できる通信手段に応じて、適切な通信部の制御を行うことが可能な通信システム等を提供することである。
【課題を解決するための手段】
【０００７】
本発明の通信システムは、端末装置及び中継装置を含む通信システムにおいて、前記端末装置は、第１制御部と、加入者識別情報を記憶可能な第１記憶部と、第１記憶部が記憶する前記加入者識別情報に基づいて基地局装置と通信を行う第１通信部と、前記中継装置と通信を行う第２通信部と、を備え、前記中継装置は、第２制御部と、前記加入者識別情報に基づいて基地局装置と通信を行う第３通信部と、前記端末装置と通信を行う第４通信部と、を備えており、前記端末装置の前記第１制御部は、前記第２通信部を介して前記中継装置との通信が可能であると判断した場合に、前記第２通信部を介して前記中継装置に前記加入者識別情報を送信し、前記第１通信部の機能を停止し、前記中継装置の前記第２制御部は、前記第４通信部を介して前記端末装置から前記加入者識別情報を受信した場合には、当該第３通信部を介して前記基地局装置に対し前記加入者識別情報に基づく接続要求を行う、ことを特徴とする。
【発明の効果】
【０００８】
本発明の通信システムによれば、中継装置を経由して待ち受けを行うことが可能となり、このときに端末装置の加入者識別情報に基づいて基地局装置と通信を行う通信部の機能を停止することができる。したがって、省電力な端末装置を提供することが可能となる。
【図面の簡単な説明】
【０００９】
【図１】第１実施形態におけるシステム全体を説明するための図である。
【図２】第１実施形態における端末装置の構成を説明するための図である。
【図３】第１実施形態における中継装置の構成を説明するための図である。
【図４】第１実施形態におけるシステム全体の処理の流れを説明するための図である。
【図５】第１実施形態における中継装置の動作フローを説明するための図である。
【図６】第１実施形態における端末装置の動作フローを説明するための図である。
【図７】第１実施形態における端末装置の応答の処理の流れを説明するための図である。
【図８】第１実施形態における動作例を説明するための図である。
【図９】第１実施形態における動作例（表示例）を説明するための図である。
【図１０】第１実施形態における動作例（表示例）を説明するための図である。
【図１１】第２実施形態における動作例を説明するための図である。
【図１２】第２実施形態におけるシステム全体の処理の流れを説明するための図である。
【図１３】第２実施形態における中継装置の動作フローを説明するための図である。
【図１４】第２実施形態における端末装置の動作フローを説明するための図である。
【図１５】第３実施形態におけるシステム全体の処理の流れを説明するための図である。
【図１６】第３実施形態におけるシステム全体の処理の流れを説明するための図である。
【発明を実施するための形態】
【００１０】
以下、図面を参照して本発明を実施するための一実施形態について説明する。なお、説明の都合上、実施形態としては、本発明の端末装置を携帯型の端末装置であるスマートフォンに適用する場合について説明するが、例えばタブレット等の情報機器、腕時計といった、通信可能な装置であれば、何れの装置であっても適用可能なことは勿論である。
【００１１】
［１．第１実施形態］
［１．１  システム構成］
図１を参照して、システム１の概要について説明する。システム１は端末装置１０と、中継装置２０と、基地局装置３０と、ネットワーク装置４０とが含まれている。
【００１２】
端末装置１０は、図１では、端末装置１０Ａ、端末装置１０Ｂ、端末装置１０Ｃの３つが示されている。それぞれの端末装置１０はＳＩＭカード（Subscriber Identity Module Card）が内蔵されている。なお、ＳＩＭカードは、バーチャルＳＩＭ／ソフトウェアＳＩＭであってもよく、この場合はｅＳＩＭ（Embedded SIM）等と呼ばれている。
【００１３】
ＳＩＭカード／ｅＳＩＭは、加入者識別情報を記憶している。端末装置１０は、加入者識別情報を参照することにより、通信サービスを利用することができる。加入者識別情報としては、例えばＩＭＳＩ（International Mobile Subscriber Identity）等の情報が記憶されている。
【００１４】
端末装置１０は、加入者識別情報に基づいて、移動体通信事業者が提供するネットワークＮＷに接続し、通信サービスを利用することができる。ネットワークＮＷには、ネットワーク装置４０が１又は複数設けられている。ネットワーク装置４０は、各種端末装置の位置、課金情報等を管理する管理サーバ装置である。ネットワークＮＷの通信方式がＬＴＥ（Long Term Evolution）の場合、ネットワーク装置４０は、例えばＭＭＥ（Mobility Management Entity）、ＨＳＳ（Home Subscriber Server）、ＰＧＷ（Packet Data Network Gateway）、Ｓ−ＧＷ（Serving Gateway）、ＰＣＲＦ（Policy and Charging Resource Function）等である。また、基地局装置３０は、ｅＮｏｄｅＢとしてネットワークＮＷに接続される。
【００１５】
また、ネットワーク装置４０は、通信方式に応じて設けられる。例えば、５Ｇ通信方式の場合、ＵＰＦ（User Plane Function）、ＡＭＦ（Access and Mobility management Function）、ＳＭＦ（Session Management Function）等である。
【００１６】
本実施形態では、移動体通信の通信サービスを提供可能であり、その中でもＬＴＥ（Long Term Evolution）の通信規格を利用した通信サービスを例に説明するが、他にもＬＴＥ−Ａｄｖａｎｃｅｄ／ＬＡＡ（License-Assisted Access using LTE）／５Ｇ等の通信であってもよい。
【００１７】
中継装置２０は、ＬＴＥの通信方式で基地局装置３０に接続して通信を行うことができる。また、中継装置２０は、ＷＬＡＮ（Wireless LAN）のサービスを提供し、ＷＬＡＮの通信が可能なエリア（中継装置エリア）に在圏する端末装置１０とＷＬＡＮによる通信が可能である。なお、本実施形態では、ＷＬＡＮを例に説明するが、その他の近距離の無線通信が可能な通信方式（例えば、Ｂｌｕｅｔｏｏｔｈ（登録商標）等）であってもよい。
【００１８】
端末装置１０は、例えばＳＳＩＤ（Service Set IDentifier）により中継装置２０を識別する。
【００１９】
以下、本実施形態において、ＳＩＭ機能が「有効」とは、端末装置１０や、中継装置２０が、ＳＩＭ（ｅＳＩＭ）に記憶された加入者識別情報を利用できる状態のこという。ＳＩＭ機能が有効な場合、端末装置１０や、中継装置２０は、基地局装置３０に接続し、通信サービスを利用できる。例えば、端末装置１０は、通信サービスを提供するネットワークＮＷに存在するネットワーク装置４０（管理サーバ装置）と接続することができる。これにより、他の端末装置や、サーバ装置と通信が可能となる。
【００２０】
また、ＳＩＭ機能が「無効」とは、端末装置１０や、中継装置２０のＳＩＭ（ｅＳＩＭ）に加入者識別情報が記憶されていないか、加入者識別情報が記憶されていても利用できない状態のことをいう。端末装置１０や、中継装置２０は、ＳＩＭ機能が無効な場合、基地局装置３０に接続できないか、基地局装置３０に接続できても通信サービスの利用はできない。
【００２１】
また、ＳＩＭ機能の「移動」とは、異なる装置間で、通信サービスの利用権限が移動することをいい、例えば、加入者情報が移動することをいう。具体的には、端末装置１０から、中継装置２０にＳＩＭ機能が移動するとは、端末装置１０に記憶されている加入者情報が中継装置２０に移動する。これにより、ＳＩＭ機能の移動前、端末装置１０は基地局装置３０を介してネットワーク装置４０と通信できていた。しかし、ＳＩＭ機能の移動後、中継装置２０が基地局装置３０を介してネットワーク装置４０と通信できるようになる。
【００２２】
なお、ＳＩＭ機能の移動は、実際に加入者情報が移動（コピー／削除）されなくても、単にＳＩＭ機能の有効／無効を切り替えるだけでもよい。
【００２３】
ここで、図１を参照して、本実施形態の概要について説明する。まず、初期状態は、端末装置１０のＳＩＭに加入者情報が記憶されている。端末装置１０は、基地局装置３０とＬＴＥの通信方式を利用して通信路を確立している。端末装置１０は、基地局装置３０を介してネットワーク装置４０と通信が可能である。
【００２４】
ここで、端末装置１０は、中継装置２０とＷＬＡＮの通信が可能なエリア（中継装置エリア）に入ると、中継装置２０とＷＬＡＮで接続される。中継装置２０と、端末装置１０とがＷＬＡＮで接続されると、ＳＩＭ機能は、端末装置１０から中継装置２０に移動する。
【００２５】
例えば、端末装置１０ＡのＳＩＭ機能（ＳＩＭ＿Ａ）は、端末装置１０Ａから中継装置２０に移動（コピー）される。ＳＩＭ機能が移動すると、中継装置２０のＳＩＭ機能（ＳＩＭ＿Ａ）が有効となり、端末装置１０ＡのＳＩＭ機能が無効となる。端末装置１０は、ＳＩＭ機能が無効になったことを検知すると、移動体通信部の機能を停止する。すなわち、ＬＴＥの通信方式で通信可能な通信モジュールの電源をＯＦＦにする。
【００２６】
中継装置２０は、基地局装置３０とＬＴＥの通信方式による通信路を確立する。中継装置２０は、通信サービスを利用することができ、基地局装置３０を介してネットワークＮＷ（ネットワーク装置４０）からの呼出し等の待ち受け処理や、発信処理が行える。
【００２７】
また、端末装置１０は、移動体通信部（ＬＴＥ通信部）の通信機能が停止されることから、その分の電力消費を押さえることが可能となる。
【００２８】
中継装置２０は、複数のＳＩＭ機能を有する。例えば、図１の場合、３台分の端末装置１０（端末装置１０Ａ、１０Ｂ、１０Ｃ）のＳＩＭ機能を有する。そして、複数のＳＩＭ機能にそれぞれ加入者情報が記憶されると、中継装置２０は、通信サービスから各加入者情報に対応して一括待ち受けが可能となる。
【００２９】
［１．２  機能構成］
［１．２．１  端末装置構成］
図２は端末装置１０の構成を説明する図である。端末装置１０は、制御部１００と、無線通信部１１０と、移動体通信部１２０と、ｅＳＩＭ１３０と、記憶部１４０と、表示部１５０と、操作部１６０と、音声入出力部１７０とを有している。
【００３０】
制御部１００は、端末装置１０の全体を制御する。制御部１００は、記憶部１４０に記憶されている各種プログラムを読み出して実行することにより各種機能を実現しており、例えば１又は複数の演算装置（例えばＣＰＵ（Central Processing Unit））により構成されている。
【００３１】
また、制御部１００は、記憶部１４０からプログラムを読み出して実行することにより、中継装置検出部１０２、ｅＳＩＭ制御部１０４として機能する。
【００３２】
中継装置検出部１０２は、中継装置２０を検出する。すなわち、中継装置検出部１０２は、無線通信部１１０により、中継装置２０が提供するＷＬＡＮのエリアに入ったことを検出する。
【００３３】
ｅＳＩＭ制御部１０４は、ｅＳＩＭ１３０の有効／無効を制御する。詳しい制御の内容については後述する。
【００３４】
無線通信部１１０及び移動体通信部１２０は、基地局装置３０や他の装置と通信を行う。無線通信部１１０及び移動体通信部１２０は、アンテナが接続されている。また、本実施形態では、無線通信部１１０は、ＷＬＡＮであり、例えばＩＥＥＥ８０２．１１ａ／ｂ／ｇ／ｎ／ａｃ方式の無線通信を行う。無線通信部１１０は主に中継装置２０に接続し、通信を行う。なお、ＷＬＡＮ以外にもＢｌｕｅｔｏｏｔｈ（登録商標）といった近距離無線通信であってもよい。
【００３５】
また、移動体通信部１２０は、移動体通信の通信を行う。例えば、ＬＴＥの通信方式により基地局装置３０と接続し、ネットワーク装置４０、外部サーバ等の他の装置と通信サービスを利用して通信する。移動体通信部１２０は、ＬＴＥの通信方式を利用するが、他の通信方式、例えば５ＧやＬＡＡ（Licensed-Assisted Access using LTE）の通信方式を利用してもよい。
【００３６】
ここで、移動体通信部１２０が通信サービスを利用して通信を行うためには、加入者識別情報をｅＳＩＭ１３０から読み出して利用する。加入者識別情報は、ｅＳＩＭ１３０のセキュアな記憶領域である加入者識別情報記憶領域１３２に記憶される。なお、本実施形態においてｅＳＩＭとして説明するが、ＳＩＭカードであってもよい。
【００３７】
加入者識別情報は、移動体通信部１２０が通信サービスを利用して通信をするために必要な情報である。例えば、加入者識別情報は、ＩＭＳＩ（International Mobile Subscriber Identity）、ＭＳＩＳＤＮ（Mobile Subscriber Integrated Services Digital Network Number）、ＩＣＣＩＤ（Integrated Circuit Card ID）等が含まれる。なお、加入者識別情報を、必要に応じて単にＳＩＭ情報という。
【００３８】
また、無線通信部１１０、移動体通信部１２０は、必要に応じて機能を停止することができる。機能を停止するとは、無線通信部１１０、移動体通信部１２０の電源をＯＦＦにすることである。機能を停止すると、端末装置１０の消費電力を押さえることが可能となる。
【００３９】
記憶部１４０は、端末装置１０の動作に必要な各種プログラムや、各種データが記憶されている機能部である。記憶部１４０は、例えば、半導体メモリであるフラッシュメモリ、ＳＳＤ（Solid State Drive）等により構成されている。なお、必要に応じて磁気ディスクであるＨＤＤ（Hard Disk Drive）や、ＳＤカード等の記憶媒体、ネットワークに接続されたＮＡＳ（Network Attached Storage）等であってもよい。
【００４０】
記憶部１４０は、接続情報記憶領域１４２に接続情報を記憶する。接続情報は、端末装置１０が、無線通信部１１０を介して中継装置２０に接続するための情報である。接続情報は、例えば、中継装置２０の通信方式、ＳＳＩＤ、ユーザ名、パスワード、ＷＥＰキー等の情報である。
【００４１】
表示部１５０は、各種情報を表示する。表示部１５０は、例えば液晶ディスプレイや、有機ＥＬディスプレイ等である。操作部１６０は、利用者からの操作入力を受け付ける。例えば、操作ボタン、キーボードといったハードウェアキーであったり、表示部１５０に表示されたソフトウェアキーであったりする。なお、操作部１６０は、利用者のタッチ操作が検出可能な装置であり、表示部１５０と一体となってタッチパネルとして実現してもよい。
【００４２】
音声入出力部１７０は、利用者から入力された音声を音声データとして出力したり、音声データを音声として出力したりする。音声入出力部１７０は、例えば、マイクやスピーカにより構成されている。
【００４３】
なお、上記機能構成は、必要に応じて設けられればよく、必ずしも総ての機能部を有する必要はない。例えば、音声入出力機能がない端末装置においては、音声入出力部１７０を備えなくてもよい。
【００４４】
［１．２．２  中継装置構成］
中継装置２０の機能構成について図３を参照して説明する。中継装置２０は、制御部２００と、無線通信部２１０と、移動体通信部２２０と、１又は複数のｅＳＩＭ２３０と、記憶部２４０と、表示部２５０と、操作部２６０と、音声入出力部２７０とを有している。
【００４５】
制御部２００は、中継装置２０の全体を制御する。制御部２００は、記憶部２４０に記憶されている各種プログラムを読み出して実行することにより各種機能を実現しており、例えば１又は複数の演算装置（例えばＣＰＵ（Central Processing Unit））により構成されている。
【００４６】
また、制御部２００は、記憶部２４０からプログラムを読み出して実行することにより、端末装置検出部２０２、ｅＳＩＭ制御部２０４として機能する。
【００４７】
端末装置検出部２０２は、端末装置１０を検出する。すなわち、無線通信部２１０により、端末装置１０が、中継装置２０の提供するＷＬＡＮのエリアに入ったことを検出する。
【００４８】
ｅＳＩＭ制御部２０４は、ｅＳＩＭ２３０の有効／無効を制御する。詳しい制御の内容については後述する。
【００４９】
無線通信部２１０及び移動体通信部２２０は、基地局装置３０や他の装置と通信を行う。無線通信部２１０及び移動体通信部２２０は、アンテナが接続されている。また、本実施形態では、無線通信部２１０は、ＷＬＡＮであり、例えばＩＥＥＥ８０２．１１ａ／ｂ／ｇ／ｎ／ａｃ方式の無線通信を行う。無線通信部２１０は主に端末装置１０に接続し、通信を行う。なお、ＷＬＡＮ以外にも端末装置１０と通信可能な通信方式が採用されればよい。
【００５０】
また、移動体通信部２２０は、移動体通信を行う。本実施形態では、移動体通信部２２０及びｅＳＩＭ２３０の機能は、端末装置１０で説明した移動体通信部１２０及びｅＳＩＭ１３０と略同一であるため、その説明を省略する。
【００５１】
なお、中継装置２０は、ｅＳＩＭ２３０の機能として、端末装置１０を収容可能な台数分有している。例えば、端末装置１０を１台だけ収容する場合は１つでよいが、３台収容する場合は３つ有している。
【００５２】
なお、移動体通信部２２０は、ｅＳＩＭ２３０と同じ数を有していてもよいし、１つであってもよい。ｅＳＩＭ２３０と同じ数有している場合は、複数台の通信が同時に可能である。また、１つの場合は、例えば制御部２００は、移動体通信部２２０を切り替えて通信を行うため、１台のみ通信が可能となる。また、移動体通信部２２０が１つの場合でも、複数の通信を収容できる場合は、複数台の通信が同時に可能である。
【００５３】
記憶部２４０は、中継装置２０の動作に必要な各種プログラムや、各種データが記憶されている機能部である。記憶部２４０は、例えば、半導体メモリであるフラッシュメモリ、ＳＳＤ（Solid State Drive）等により構成されている。なお、必要に応じて磁気ディスクであるＨＤＤ（Hard Disk Drive）や、ＳＤカード等の記憶媒体、ネットワークに接続されたＮＡＳ（Network Attached Storage）等であってもよい。
【００５４】
記憶部２４０は、端末情報記憶領域２４２に端末情報を記憶する。端末情報は、中継装置に接続している端末装置１０に関する情報である。例えば、端末装置１０のＩＰアドレス（Internet Protocol address）、ＭＡＣアドレス（Media Access Control address）、ユーザ名、接続時間等を記憶する。また、加入者識別情報と端末装置１０とを対応づける情報を記憶してもよい。
【００５５】
表示部２５０は、各種情報を表示する。表示部２５０は、例えば液晶ディスプレイや、有機ＥＬディスプレイ等である。操作部２６０は、利用者からの操作入力を受け付ける。例えば、操作ボタン、キーボードといったハードウェアキーであったり、表示部２５０に表示されたソフトウェアキーであったりする。なお、操作部２６０は、利用者のタッチ操作が検出可能な装置であり、表示部２５０と一体となってタッチパネルとして実現してもよい。
【００５６】
音声入出力部２７０は、利用者から入力された音声を音声データとして出力したり、音声データを音声として出力したりする。音声入出力部２７０は、例えば、マイクやスピーカにより構成されている。
【００５７】
［１．３  処理の流れ］
つづいて、図を参照して、システム全体の処理及び各装置の処理について説明する。
【００５８】
［１．３．１  システム全体の流れ］
図４は、システム全体の流れを説明する図である。端末装置１０（制御部１００（中継装置検出部１０２））は、中継装置２０を検出すると、ＳＩＭ機能移動通知を中継装置２０に送信する（Ｓ１０２）。
【００５９】
中継装置２０は、ＳＩＭ機能移動通知を受信し、端末装置１０からＳＩＭ機能を移動することが可能と判断した場合は、ＳＩＭ機能移動許可通知を端末装置１０に送信する（Ｓ１０４）。端末装置１０は、ＳＩＭ機能移動許可通知を受信すると、ＳＩＭ情報（ここでは、加入者識別情報）を中継装置２０に送信する（Ｓ１０６）。
【００６０】
中継装置２０は、ＳＩＭ情報を受信すると、ＳＩＭ情報受信通知を端末装置１０に送信する（Ｓ１０８）。ここで、中継装置２０は、受信されたＳＩＭ情報である加入者識別情報をｅＳＩＭ２３０に記憶する。
【００６１】
端末装置１０は、ＳＩＭ情報受信通知を受信すると、ＳＩＭ機能無効化処理を実行する（Ｓ１１０）。ＳＩＭ機能無効化処理とは、ＳＩＭ／ｅＳＩＭに記憶されているＳＩＭ情報（加入者識別情報）を削除するか、ＳＩＭ情報（加入者識別情報）を利用できなくする処理である。
【００６２】
Ｓ１１０では、端末装置１０が、ｅＳＩＭ１３０から加入者識別情報を削除する。また、他のＳＩＭ機能無効化処理として、ｅＳＩＭ１３０に記憶されている加入者識別情報を端末装置１０が利用できなくしてもよい。
【００６３】
端末装置１０は、ＳＩＭ機能無効化が完了した後に、ＳＩＭ機能無効化完了通知を中継装置２０に送信する（Ｓ１１２）。なお、このとき移動体通信部１２０の機能をＯＦＦにする。
【００６４】
中継装置２０は、ＳＩＭ機能無効化完了通知を受信すると、ＳＩＭ機能有効化処理を実行する（Ｓ１１４）。ＳＩＭ機能有効化処理とは、ＳＩＭ／ｅＳＩＭに記憶されているＳＩＭ情報（加入者識別情報）を利用できるようにする処理である。
【００６５】
具体的には、端末装置１０から受信したＳＩＭ情報（加入者識別情報）を含むｅＳＩＭ２３０の機能を有効化すればよい。
【００６６】
そして、中継装置２０は、ＳＩＭ機能有効化処理が完了したこと示す完了通知を、端末装置１０に送信する（Ｓ１１６）。なお、このとき、基地局装置３０を介してネットワーク装置４０に変更通知を送信してもよい（Ｓ１１８）。
【００６７】
［１．３．２  中継装置の処理］
中継装置２０の処理について、図５を参照して説明する。
【００６８】
制御部２００（端末装置検出部２０２）は、端末装置１０の検出処理を開始する（ステップＳ１００２）。制御部２００は、端末装置１０を検出した後、端末装置１０からＳＩＭ機能移動通知を受信する（ステップＳ１００４；Ｎｏ）。
【００６９】
制御部２００（ｅＳＩＭ制御部２０４）は、ＳＩＭ機能移動通知を受信した場合、ＳＩＭ機能移動処理を実行する（ステップＳ１００４；Ｙｅｓ→ステップＳ１００６）。具体的には、制御部２００（ｅＳＩＭ制御部２０４）は、端末装置１０から受信された加入者識別情報を、ｅＳＩＭ２３０の加入者識別情報記憶領域２３２に記憶する。
【００７０】
ここで、制御部２００（ｅＳＩＭ制御部２０４）は、加入者識別情報が既に加入者識別情報記憶領域２３２に同一の加入者識別情報が記憶されている場合は、記憶しなくてもよい。
【００７１】
そして、制御部２００（ｅＳＩＭ制御部２０４）は、ＳＩＭ機能を有効化する（ステップＳ１００８）。これにより、中継装置２０は、通信サービスに接続可能となり、基地局装置３０とＬＴＥの通信方式で通信をする。
【００７２】
ここで、制御部２００は、受入れ上限台数に到達していない場合（ｅＳＩＭ２３０に空きがある場合）は、ステップＳ１００４に戻り処理を繰り返す（ステップＳ１０１０；Ｎｏ→ステップＳ１００４）。
【００７３】
制御部２００は、受入れ上限台数に到達したと判定した場合（ｅＳＩＭ２３０に空きがない場合）は、端末装置１０の検出処理を中止し、処理を終了する（ステップＳ１０１０；Ｙｅｓ→ステップＳ１０１２）。
【００７４】
［１．３．３  端末装置の処理］
端末装置１０の処理について、図６を参照して説明する。
【００７５】
制御部１００（中継装置検出部１０２）が中継装置２０の検出処理を開始する（ステップＳ１５０２）。そして、中継装置２０が検出された場合、制御部１００（ｅＳＩＭ制御部１０４）は、ＳＩＭ機能移動処理を実行する（ステップＳ１５０４；Ｙｅｓ→ステップＳ１５０６）。
【００７６】
ここで、中継装置２０の検出とは、端末装置１０が接続可能な中継装置２０を検出する場合をいうが、例えば、ＳＩＭ機能が移動可能な中継装置２０であるかを検出してもよい。ＳＩＭ機能が移動可能な中継装置２０であるかは、記憶部１４０に情報として記憶してもよいし、制御部１００が無線通信部１１０を介して中継装置２０に問い合わせてもよい。
【００７７】
また、制御部１００（ｅＳＩＭ制御部１０４）は、ＳＩＭ機能移動処理を実行すると、加入者識別情報が中継装置２０に送信される。なお、既に加入者識別情報が中継装置２０に記憶されている場合は、中継装置２０にＳＩＭ機能を有効にする旨の通知を送信してもよい。
【００７８】
制御部１００（ｅＳＩＭ制御部１０４）は、ＳＩＭ機能移動処理の後、ＳＩＭ機能の無効化を行う（ステップＳ１５０８）。ＳＩＭ機能の無効化は、移動体通信部１２０がｅＳＩＭ１３０を利用できなければよい。したがって、制御部１００（ｅＳＩＭ制御部１０４）は、ｅＳＩＭ１３０から加入者識別情報を削除したり、フラグを利用して無効にしたりする。
【００７９】
また、制御部１００は、このとき併せて移動体通信部１２０を停止（ＯＦＦ）にする（ステップＳ１５１０）。例えば、制御部１００は、ＬＴＥの通信が可能な通信モジュールの電源供給を行わないことにより、端末装置１０の消費電力を抑えることができ、省電力な端末装置１０を提供することができる。
【００８０】
ＳＩＭ機能を無効化した後、制御部１００は復帰処理の検出を待機する（ステップＳ１５１２）。復帰処理については、別の実施形態で説明する。
【００８１】
［１．３．４  ＳＩＭ機能移行後の着信処理］
端末装置１０から中継装置２０にＳＩＭ機能が移動した後の通信の着信処理の一例について、図７を参照して説明する。
【００８２】
通信サービスを介してＬＴＥの着信があった場合、通信サービスの管理サーバ（ネットワーク内の装置）は、ＳＩＭ機能が有効となっている中継装置２０にＬＴＥ着信通知を送信する（Ｓ１５２）。このときの通信路はＬＴＥとなる。
【００８３】
中継装置２０は、ＬＴＥの着信があった加入者識別情報に対応する端末装置１０に対して、着信通知を送信する（Ｓ１５４）。このとき、中継装置２０と、端末装置１０との間の通信路はＷＬＡＮである。
【００８４】
また、端末装置１０と、中継装置２０とで着信通知処理が行われる（Ｓ１５６、Ｓ１５８）。このとき、着信通知としては種々の制御が可能である。
【００８５】
（１）端末装置１０及び中継装置２０と双方で着信通知を行う
（２）端末装置１０又は中継装置２０の何れか設定された方で着信通知を行う
（３）時間帯に応じて着信通知をする装置を切り分ける。例えば、昼間は端末装置１０（又は中継装置２０の両方）で着信通知を行い、夜間は中継装置２０で着信通知を行う
（４）通信相手に応じて着信通知を切り替える。例えば、通信相手が端末装置１０のアドレス帳に登録されている場合は端末装置１０及び中継装置２０で着信通知を行うが、それ以外の通信相手の場合は中継装置２０のみで着信通知を行う
（５）通信内容に応じて着信通知を切り替える。例えば、ＬＴＥの通信サービスにおいて、音声通話の着信の場合は端末装置１０及び中継装置２０で着信通知を行うが、メール受信の場合は端末装置１０のみで行う
（６）利用者検知手段を設け、利用者が近くにいる装置で着信通知を行う
例えば、端末装置１０で着信応答操作が行われた場合（Ｓ１６０）、端末装置１０は、中継装置２０に対して応答信号を送信する（Ｓ１６２）。中継装置２０は、管理サーバ（ネットワーク）に対して応答信号を送信する（Ｓ１６４）。
【００８６】
これにより、端末装置１０は、中継装置２０，基地局装置３０を介して、通信サービスが提供するネットワークと通話用通信路を確立する（Ｓ１６６）。なお、通話用通信路は、端末装置１０と中継装置２０との間はＷＬＡＮの、中継装置２０とネットワーク装置４０（基地局装置３０を介したネットワーク）との間はＬＴＥの通信路で接続される。
【００８７】
［１．４  動作例］
動作例について図を参照して説明する。図８は、端末装置１０が、中継装置２０と通信可能なエリアに移動した状態を示す図である。端末装置１０と、中継装置２０とがＷＬＡＮにより通信可能になると、端末装置１０は、ＳＩＭ機能を中継装置２０に移動（すなわち、加入者識別情報を送信）する。また端末装置１０は、移動体通信部１２０の電源をＯＦＦとする。
【００８８】
中継装置２０は、端末装置１０からＳＩＭ機能を移動する（すなわち、加入者識別情報を受信する）。これにより、端末装置１０の通信サービスにより提供される通信は、中継装置２０を介して提供される。
【００８９】
例えば、中継装置２０は、ネットワーク装置４０からの着信通知を、通信サービスを提供するネットワークＮＷに接続された基地局装置３０を介して受信する。このとき、基地局装置３０、中継装置２０とは、例えばＬＴＥにより接続されている。
【００９０】
また、中継装置２０は、着信通知を端末装置１０に送信する。このとき、中継装置２０と、端末装置１０とはＷＬＡＮで接続されている。また、着信通知は、端末装置１０に送信せず、単独で中継装置２０で処理してもよい。また、着信通知は、端末装置１０及び中継装置２０の両方で処理されてもよい。
【００９１】
このように、端末装置１０は、中継装置２０の中継装置エリアに在圏する（ＷＬＡＮにより通信可能となる）と、ＷＬＡＮを利用して通信サービスを利用することができる。また端末装置１０の移動体通信部１２０の電源がＯＦＦとなっていることから、消費電力を抑えることが可能となる。
【００９２】
図９（ａ）は、端末装置１０の表示部１５０に表示された表示画面Ｗ１００の一例である。表示領域Ｒ１００（ピクト欄）は、端末装置１０の接続状態を表示している。すなわち、移動体通信部１２０（ＬＴＥ）はＯＦＦとなっており、ＷＬＡＮで接続されている。
【００９３】
このとき、着信通知があると端末装置１０はポップアップ表示をして着信があったことを表示する。例えば、端末装置１０は、ポップアップ表示Ｒ１１０により、誰から着信があったことを示している。ポップアップ表示Ｒ１１０の「ＯＮ」を利用者が選択することで通話を行うことができる。
【００９４】
またポップアップ通知に、通信路の種類を表示してもよい。例えば、図９（ｂ）のポップアップ表示Ｒ１１０は、ＷＬＡＮで接続されていることを示すマークＭ１００を表示している。また、図９（ｃ）のポップアップ表示Ｒ１１０は、ＬＴＥで接続されていることを示すマークＭ１１０を表示している。
【００９５】
また、併せて中継装置２０において着信があったことを報知しても良い。例えば、中継装置２０の音声入出力部２７０において「端末装置１０に着信がきております」と音声で報知しても良い。また、利用者が音声入出力部２７０に「着信します」と話しかけることで、通話を開始してもよい。
【００９６】
また、さらに中継装置２０は、視覚的に着信があったことを報知してもよい。例えば、図１０は、中継装置２０における表示画面の一例を示す図である。図１０に示すように、中継装置２０の外側に通知領域Ｋ２００を設ける。通知領域Ｋ２００に設けられた表示画面Ｗ２００に着信があったことを表示したり、発光装置Ｈ２００（例えば、ＬＥＤ）を点灯／点滅したりすることで、報知してもよい。
【００９７】
このとき、表示画面Ｗ２００をタッチパネルとし、利用者がタッチすることで通話を開始してもよい。
【００９８】
［２．第２実施形態］
第２実施形態について説明する。なお、第２実施形態の全体構成、各装置の機能構成は第１実施形態と略同一であり、異なる点を中心に説明する。
【００９９】
図１１は、第２実施形態の動作を説明する全体図である。第１実施形態の図８の状態から、端末装置１０が、中継装置２０から遠ざかる状態を示している。このとき、端末装置１０は、中継装置２０から受信したＷＬＡＮの信号（ＷＬＡＮ信号）の受信レベルが高→低に変化する。これにより、端末装置１０は、中継装置２０から遠ざかっていることを判定する。
【０１００】
この場合、一度中継装置２０に移動していたＳＩＭ機能を再び端末装置１０に移動する処理を実行する。
【０１０１】
［２．１  システム全体の流れ］
図１２は、第２実施形態におけるシステム全体の流れを説明するための図である。端末装置１０は、中継装置２０から遠ざかっている（例えば、ＷＬＡＮ信号の受信レベルが閾値以下となったことを検知する）と、ＳＩＭ機能復帰開始通知を中継装置２０に送信する（Ｓ２０２）。
【０１０２】
中継装置２０は、ＳＩＭ機能復帰開始通知を受信すると、ＳＩＭ情報を端末装置１０に送信する（Ｓ２０４）。すなわち、中継装置２０は、加入者識別情報を端末装置１０に送信する。
【０１０３】
端末装置１０は、ＳＩＭ情報を受信したことを中継装置２０に通知する（Ｓ２０６）。これにより、中継装置２０は、ＳＩＭ機能を端末装置１０に移転したことを検出することになり、ＳＩＭ機能の無効化処理を実行する（Ｓ２０８）。
【０１０４】
中継装置２０は、ＳＩＭ機能無効化処理を実行した後、端末装置１０にＳＩＭ機能無効化完了を通知する（Ｓ２１０）。端末装置１０は、ＳＩＭ機能無効化完了通知を受信すると、ＳＩＭ機能を有効かする処理（ＳＩＭ機能有効化処理）を実行する（Ｓ２１２）。
【０１０５】
そして、端末装置１０は、ＳＩＭ機能を有効化すると、有効化完了通知を中継装置２０に行う（Ｓ２１４）。ここで、中継装置２０（又は端末装置１０）は、変更通知をネットワークの管理サーバに送信してもよい（Ｓ２１６）。
【０１０６】
［２．２  中継装置の処理］
本実施形態における中継装置２０の処理フローを図１３に示す。まず、端末装置１０から通知を検出する処理を開始する（ステップＳ２００２）。
【０１０７】
制御部２００は、端末装置１０からＳＩＭ機能復帰開始通知を受信すると（ステップＳ２００４；Ｙｅｓ）、ＳＩＭ機能移動処理を実行する（ステップＳ２００６）。具体的には、制御部２００（ｅＳＩＭ制御部２０４）は、ｅＳＩＭ２３０の加入者識別情報記憶領域２３２に記憶されている加入者識別情報を、端末装置１０に送信する。
【０１０８】
制御部２００（ｅＳＩＭ制御部２０４）は、ＳＩＭ機能の無効化を行う（ステップＳ２００８）。ＳＩＭ機能の無効化は、ｅＳＩＭ２３０から加入者識別情報を削除する。また、制御部２００は、加入者識別情報を利用できないようにフラグ等で管理してもよい。
【０１０９】
ここで、制御部２００は、端末装置の受入れ台数の下限に達した場合（すなわち、ｅＳＩＭ２３０に加入者識別情報が記憶されていない場合）は、検出処理を中止する（ステップＳ２０１０；Ｙｅｓ→ステップＳ２０１２）。
【０１１０】
制御部２００は、端末装置の受入れ台数の下限に達していない場合（すなわち、ｅＳＩＭ２３０に加入者識別情報が記憶されている場合）は、ステップ２００４から処理を繰り返し実行する（ステップＳ２０１０；Ｎｏ→ステップＳ２００４）。
【０１１１】
［２．３  端末装置の処理］
本実施形態における端末装置１０の処理フローを図１４に示す。まず、端末装置１０が接続している中継装置２０の通信レベルを検出する処理を開始する（ステップＳ２５０２）。
【０１１２】
端末装置１０は、中継装置２０との通信レベルが一定以下になった場合（ステップＳ２５０４；Ｙｅｓ）、ＳＩＭ機能移動処理を実行する（ステップＳ２５０６）。例えば、無線通信部１１０が受信している電波の信号対雑音比（Ｓ／Ｎ）が１１ｄｂ未満となった場合には、通信レベルが一定以下となったと判定する。
【０１１３】
ＳＩＭ機能移動処理は、例えば、中継装置２０から加入者識別情報を受信し、ｅＳＩＭ１３０に記憶する。そして、ｅＳＩＭ１３０に加入者識別情報が記憶された場合、制御部１００（ｅＳＩＭ制御部１０４）は、ＳＩＭ機能の有効化の処理を実行する（ステップＳ２５０８）。ＳＩＭ機能が有効かされると、移動体通信部１２０は、ＬＴＥの通信サービスの提供をうけることが可能となる。すなわち、移動体通信部１２０は、基地局装置３０に接続することができる。
【０１１４】
なお、このとき移動体通信部１２０の機能がＯＦＦの場合は、ＯＮに切り替える処理を実行する。また、制御部１００は、移動処理検出の待機状態となる（ステップＳ２５１０）。すなわち、制御部１００は、第１実施形態の処理をこの後実行することが可能となる。
【０１１５】
［３．第３実施形態］
第３実施形態について説明する。なお、第３実施形態の全体構成、各装置の機能構成は第１実施形態と略同一であり、異なる点を中心に説明する。
【０１１６】
第１実施形態及び第２実施形態と異なり、第３実施形態は、ＳＩＭ機能の有効化／無効化の管理をネットワーク装置側で行う実施形態である。例えば、ネットワーク装置（管理サーバ）として、ＭＭＥや、ＨＳＳ、Ｐ−ＧＷ／Ｓ−ＧＷといった、コアネットワークに配置される装置が考えられる。
【０１１７】
図１５は、ＳＩＭ機能を端末装置１０から中継装置２０に移動する場合のシステム全体の流れを説明するための図である。
【０１１８】
まず、端末装置１０は、例えば中継装置２０とＷＬＡＮにより通信路が確立された場合、ネットワーク装置にＳＩＭ機能移動許可通知を送信する（Ｓ３０２）。ネットワーク装置は、ＳＩＭ機能の移動許可を出す場合、ＳＩＭ機能移動許可通知を端末装置１０に送信する（Ｓ３０４）。
【０１１９】
端末装置１０は、ＳＩＭ移動許可通知を受信すると、ＳＩＭ情報（加入者識別情報）をネットワーク装置に送信する（Ｓ３０６）。ネットワーク装置は、端末装置１０からＳＩＭ情報を受信すると、ＳＩＭ情報受信通知を端末装置１０に送信する（Ｓ３０８）。
【０１２０】
端末装置１０は、ネットワーク装置からＳＩＭ情報受信通知を受信すると、ＳＩＭ機能無効化処理を実行する（Ｓ３１０）。そして、ＳＩＭ機能の無効化が完了すると、端末装置１０は、ネットワーク装置にＳＩＭ機能無効化完了通知を送信する（Ｓ３１２）。
【０１２１】
ネットワーク装置は、端末装置１０からＳＩＭ機能無効化完了通知を受信すると、中継装置２０にＳＩＭ機能有効化通知を送信する（Ｓ３１４）。ここで、ネットワーク装置は、ＳＩＭ機能有効化通知に加入者識別情報を含めてもよい。
【０１２２】
中継装置２０は、ＳＩＭ機能有効化通知をネットワーク装置から受信すると、ＳＩＭ機能の有効化処理を実行する（Ｓ３１６）。そして、中継装置２０は、ＳＩＭ機能を有効化した後、完了通知をネットワーク装置に送信する（Ｓ３１８）。ここで、ネットワーク装置は、完了通知を端末装置１０に送信してもよい（Ｓ３２０）。
【０１２３】
また、図１６は、ＳＩＭ機能を中継装置２０から端末装置１０に移動する場合のシステム全体を説明するための図である。
【０１２４】
端末装置１０は、ＳＩＭ機能復帰開始通知をネットワーク装置に送信する（Ｓ３５２）。端末装置１０は、例えば中継装置２０との信号強度が所定レベル以下になった場合や、中継装置２０と所定距離以上離れたと判定された場合にＳＩＭ機能復帰開始通知を送信する。
【０１２５】
ネットワーク装置は、ＳＩＭ機能無効化通知を中継装置２０に送信する（Ｓ３５４）。中継装置２０は、ネットワーク装置からＳＩＭ機能無効化通知を受信した場合、ＳＩＭ機能無効化処理を実行する（Ｓ３５６）。
【０１２６】
中継装置２０は、ＳＩＭ機能無効化処理を完了すると、完了通知をネットワーク装置に送信する（Ｓ３５８）。ネットワーク装置は、中継装置２０から完了通知を受信すると、ＳＩＭ情報有効化通知を端末装置１０に送信する（Ｓ３６０）。端末装置１０は、ＳＩＭ情報有効化通知をネットワーク装置から受信するとＳＩＭ機能有効化処理を実行する（Ｓ３６２）。
【０１２７】
端末装置１０は、ＳＩＭ機能有効化処理を実行することにより、ＳＩＭ機能を有効化した後は、完了通知をネットワーク装置に送信する（Ｓ３６４）。
【０１２８】
このように、本実施形態によれば、ネットワーク装置が各装置のＳＩＭ機能の有効化／無効化を管理することが可能となる。
【０１２９】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１３０】
また、実施形態において各装置で動作するプログラムは、上述した実施形態の機能を実現するように、ＣＰＵ等の演算装置を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１３１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１３２】
１  システム
１０  端末装置
１００  制御部
１０２  中継装置検出部
１０４  ｅＳＩＭ制御部
１１０  無線通信部
１２０  移動体通信部
１３０  ｅＳＩＭ
１３２  加入者識別情報記憶領域
１４０  記憶部
１４２  接続情報記憶領域
１５０  表示部
１６０  操作部
１７０  音声入出力部
２０  中継装置
２００  制御部
２０２  端末装置検出部
２０４  ｅＳＩＭ制御部
２１０  無線通信部
２２０  移動体通信部
２３０  ｅＳＩＭ
２３２  加入者識別情報記憶領域
２４０  記憶部
２４２  端末情報記憶領域
２５０  表示部
２６０  操作部
２７０  音声入出力部
３０  基地局装置
４０  ネットワーク装置
【図１】
2020014083.tif 000003
【図２】
2020014083.tif 000004
【図３】
2020014083.tif 000005
【図４】
2020014083.tif 000006
【図５】
2020014083.tif 000007
【図６】
2020014083.tif 000008
【図７】
2020014083.tif 000009
【図８】
2020014083.tif 000010
【図９】
2020014083.tif 000011
【図１０】
2020014083.tif 000012
【図１１】
2020014083.tif 000013
【図１２】
2020014083.tif 000014
【図１３】
2020014083.tif 000015
【図１４】
2020014083.tif 000016
【図１５】
2020014083.tif 000017
【図１６】
2020014083.tif 000018